(57)【要約】【課題】従来の光電管を採用した座板検出器では、スラットの中央付近に設置されていた。非常時の開口部は、開口状態の時ではスラットを下降させる動作に制御されるが、スラット付近の環境が火災等による煙・粉塵・落下物により光軸を遮り、座板検出器を誤動作させ、閉鎖できないとする問題があった。本発明は、環境に影響されない光電管の座板検出器を提供することにある。【解決手段】開閉部材３を開閉可能に開口部２上段に配置して、開閉させる駆動部６を備え、開閉部材３を案内する案内レール４を立設して、開閉部材３の下端に座板１１を備え、光電管１６の発光器と受光器とを天井１９に備え、座板１１に光電管１６の光軸Ｓを通光させる反射板１５を備え、反射板１５を座板１１の接触で、検出板１２を移動させ開閉部材３を停止させる。光軸Ｓは、外部から閉鎖された通光路５を設ける構成とする。【選択図】図２
2007270595.tif 000002
【特許請求の範囲】
【請求項１】
開口部を開閉する開閉部材を上下動可能に備えた開閉機において、開閉部材を巻き取るドラムを開口部上段に配置して、ドラムを回転させる駆動部を備え、開閉部材の上下動を案内する案内レールを開口部両側に立設して、開閉部材の下端に座板を備え、座板に検出手段を備え、検出手段による検出信号によって駆動部に指令する制御盤を備え、検出手段は光電管の発光器と受光器とを天井に備え、座板の接触により回動可能な反射板を備え、該検出手段を外部と閉鎖する案内レールに並設する光軸路を設けることを特徴とする開閉機の座板安全装置。
【請求項２】
検出手段は、商用電源と予備電源を併用可能にすることを特徴とする請求項１記載の開閉機の座板安全装置。
【請求項３】
光軸路は、座板から延出した連結部に反射板が配置され、光電管の光軸の通光を遮断させる遮断手段が設けられていることを特徴とする請求項１記載の開閉機の座板安全装置。
【請求項４】
遮断手段は、座板の接触で反射板が移動して、透孔を通過する光電管の光軸を遮ることで、異常検出信号を発信して駆動部を停止させ、再度閉鎖指令を発信させるタイマーを動作することを特徴とする請求項３記載の開閉機の座板安全装置。
【発明の詳細な説明】
【技術分野】
【０００１】  本発明は、開口部に備えられた開閉部材の下端に設置された座板であり、開口部にある障害物に座板が接触することで、開閉部材の下降を停止させる開閉機の安全装置に関するものである。
【背景技術】
【０００２】  従来の座板安全装置は、光電装置と遮断装置で構成され、開口部の両側に立設した案内レールに沿って開閉する開閉部材を備え、開閉部材を開口部の上部の巻取りドラムに巻き掛け、駆動部によりドラムを回転させ開閉部材を上下動させている。開閉部材の下端には、座板スイッチが備えられて、開口部の障害物を検出して駆動部を停止させるようにしてある。座板スイッチは、開口部の中央付近の上部に発光と受光の光電管を備え、開閉部材の座板に反射板を固定して、座板の接触で回動する遮蔽装置により、光軸を遮ると駆動部の回転を止め、開閉部材を停止させることで障害物の破損を防止するものである。【０００３】  光電装置は、箱状の断面コ字の中空にした座板に収納されて、天井部の発光管からスラット面を横切り、座板上面に備えられた透孔から光軸を通光させて反射板に当て、逆光を戻るように透孔からスラット面を横切り天井部の受光管に入光させることで、異常が無いことを判断する。
遮断装置は、座板に接触する障害物があると、座板に連動して回動する遮蔽板が備えられ、光軸の通光を遮断して異常有りの判断をさせ、駆動部を停止させることで障害物の破損を防止させるものである。
また、開閉部材を閉鎖動作中に座板が検出して停止後、反転させて上昇させる制御方法を採用している装置もある。【０００４】
【特許文献１】特開平０９−２６８８６５
【発明の開示】
【発明が解決しようとする課題】
【０００５】  しかし、開閉機を設置する場所は、環境に影響されないようにする必要があり、例えば粉塵が舞う所とか、煙・気体が横切る所で開閉するときに誤動作することがあり、その度に安全点検をして再度動作スイッチを入れることをしなければならない。
もし、障害物が有ったとしても反転して上昇するために、取り除いた後で再度閉鎖スイッチを入れる必要があり、緊急時等に閉鎖時間を無駄に費やすことになる。【０００６】  本発明は、光電装置を外部に露出させることなく、別途に密封した光軸路を設けて、座板に連動する遮蔽装置とすることで、環境に影響することなく、安全に開閉ができるものである。もし、障害物を検出したとしても、その場で停止するので障害物を取り除くことで、再び下降動作を行なえる制御にして速い閉鎖動作と安全で安心な座板安全装置を提供するものである。
【課題を解決するための手段】
【０００７】  請求項１の発明では、開口部を開閉する開閉部材が上下動可能に配置された開閉機である。開閉機は、開閉部材を巻き取るドラムを開口部上段に配置して、ドラムを回転させることで巻上げ巻き戻しを行い開口部を開閉動作する。開閉部材は、上下動の案内をする案内レールを開口部両側に立設している。開閉部材の下端には、座板を備えて、座板に検出手段を備えている。検出手段は、座板に連結する反射板を備え、光電管の光軸を反射板で通光させ、座板に接触することで反射板を回動させ、光軸を遮蔽すると異常を発信させて駆動部を停止させる制御盤を備えている。検出手段は、光電装置である光電管の発光器と受光器とを天井に備え、回動可能な座板に連結する反射板に前記光電管の光軸を往復する発光と受光をさせる。遮断手段は、座板の回動で光軸を遮るようにして配置されている。光軸は、周辺を閉鎖された通光路を専用に設け、周辺の環境に影響されない案内レールに並設する構成とする。【０００８】  請求項２の発明では、検出手段は、商用電源と予備電源を併用可能にする構成とする。
請求項３の発明では、通光路を座板から延出した反射板を配置して、座板に連結する反射板を備え、座板の接触で回動する反射板にして、反射板で光軸を遮断する通光路にする。通光路は、光電管の光軸を遮蔽する遮断手段を設ける構成とする。
請求項４の発明では、遮断手段は、座板の回動で反射板を遮り、検出信号を発信して開閉機を停止させ、タイマーにより再度動作させる構成とする。【０００９】  請求項１の構成では、光軸が環境に影響されない隔離された空間を通光するので、誤動作をしない作用がある。
請求項２の構成では、通常時でも非常時でも下降を安全に閉鎖できる作用がある。
請求項３の構成では、安全に下降させ、開口部を閉鎖することができる作用がある。
請求項４の構成では、単純な制御により、非常時に安全に閉鎖させる作用がある。
【発明の効果】
【００１０】  請求項１の発明では、非常時の火災による煙とか粉塵等で検知する誤動作を防止でき、開口部を速やかに閉鎖することができるので、火災の進行を止めることができる効果がある。【００１１】  請求項２の発明では、予備電源により検出器が検知して、制動を動作させるので安全に閉鎖させることができる効果がある。
請求項３の発明では、座板のどの位置にでも軽く接触すると、連結された反射板を回動させので、瞬時に下降動作を停止させることができる効果がある。【００１２】  請求項４の発明では、座板が検知して停止したとき、障害物が取り除かれる場合が多いため、再度下降動作を行うことで火災等の拡大を未然に防ぐことができる効果がある。
【発明を実施するための最良の形態】
【００１３】  本発明の開閉機に備えた座板安全装置について、一実施形態を図面に示し説明する。
図１は、壁面の一部を透孔にして、その透孔を通路とする開口部２を備え、開口部２を開閉する開閉機１を備え、開閉機１から開閉部材３を開口部２の天井１９から地上面ＧＬに下降させて閉鎖させたり、地上面ＧＬから天井１９へ上昇させて開口させたりする。開閉機１は、開口部２の左右両側に案内レール４を立設して、開閉部材３を支持すると共に、上下動の案内をしている。開閉部材３は、スラット・シート・ゲート等であり、天井１９に内蔵されたドラム８に巻き掛けてあり、ドラム８が回転することで、巻上げの回転により開閉部材３が上昇して開口させ、巻き戻しの回転により開閉部材３が下降して閉鎖する。【００１４】  ドラム８は、開口部２の天井１９に内蔵されて、両端部を軸受１０により支持され、駆動部６に接続され駆動力を得ている。駆動部６は、モータＭの回転を減速機Ｇで低速回転の高トルクに変換してドラム８に接続し、モータＭの回転を止めるブレーキＢを備え上限位置・下限位置・非常停止の指令で停止させられる。モータＭの制御は、制御盤７により指令するもので、制御盤７に電源と情報の供給を行い、開口部２の開閉を容易に可能にして、開閉部材３を安全に下降させることができる。制御盤７は、電源を商用電源Ｗと保持電源２１のバッテリ・燃料電池から供給してモータＭとブレーキＢと光電管１６に供給する。ブレーキＢは、電磁式で直流の低電圧で作動し、電流を入れるとライニングが解放して制動を解除する構造である。【００１５】制御盤７への指令は、開口部２の側面に地上面ＧＬから高さ１ｍぐらいの壁面２２に備えられた操作盤９と、開閉部材３の下端に配置された座板１１の検知による光電管１６の遮光により信号を受信することでブレーキＢの停止と、タイマーＴの動作と、開閉部材３の位置と、別途（図示略）に備えられた火災検知器等と、による。光電管１６は、左右どちらかの案内レール４に隣接されて立設している通光路５の天井１９に備えられた発光用と受光用により光軸Ｓを座板１１に備えた反射板１５を介して通光させている。開口部２を開閉する開閉部材３の上限位置と下限位置は、減速機Ｇの出力軸の回転数量を計測して設定してあり、正確に定位置で停止することができる。操作盤９は、上昇釦と停止釦と下降釦が備えられて、何れかの釦で開閉部材３が動作する。付属の火災検知器は、温度検知と煙検知とが備えてあり、火災時にはまず煙が発生してブレーキＢを解除することで、開閉部材３の重量により下降を始める。【００１６】開閉部材３の下降中に障害物２０が座板１１に接触したとき、反射板１５が移動して光軸Ｓを通光させることができなく、非常停止になり、タイマーＴのスタートになる。座板１１は、多少の上下動ができる寸法にしてあり、障害物２０を検出して停止後、障害物２０を取り除いた後とか、何かが振れただけで何も無い場合とかが多くあり、タイマーＴによる再下降の指令を出すことで、再閉鎖動作になり、火災発生場所の煙・炎を隔離することができ、拡張するのを防止することができる。通光路５は、座板１１と連結する連結部１７が側面から延出して、反射板１５を水平な上面を形成して内接し上下方向へ摺動可能にして、外周面を覆われた断面コ字状の支柱である。この通光路５が覆われている���め、火災等の煙を検知することがなく、正常に動作することができる。【００１７】  図２は、座板１１による検出を説明するもので、開閉部材３の下端に備えられている箱状の部材にして、ばね１４で上方に押し上げて重量を軽量化することができ、座板１１に軽く接触するだけで検知することが可能にしている。座板１１に摺動される連結部１７を説明すると、開閉部材３に軸着された平行リンク１３が搭載され、座板１１が傾斜した状態でも水平に摺動することができるので、開口部２のどの位置に障害物２０が存在しても検出可能である。平行リンク１３は、開閉部材３の下端と平行に樹脂製の検出板１２を吊下げて摺動可能にした連結部１７であり、検出板１２が座板１１に搭載させて摺動するものである。【００１８】連結部１７は、案内レール４を通過して通光路５に反射板１５を突出させ、座板１１の揺動で検出板１２が図面の右方向に水平に移動することで、反射板１５をスライドさせることになり、限定された透孔を通過する光軸Ｓを遮断することになる。光軸Ｓが遮断されると光電管１６は、制御盤７に信号を発信させ、モータＭの電源を止め、ブレーキＢを動作して開閉部材３を停止させる。通光路Ｓは、案内レール４に並設されて外周を覆われた支柱であり、外部から閉鎖されているため、太陽光・熱・ガス等の環境に影響されない構造にしてあるため、火災時に発生する煙とか粉塵で停止することがなく、座板１１の回動でのみ作動することになり、誤動作の防止に有効である。【００１９】  図３は、開閉部材３が下降する閉鎖動作中に障害物２０が開口部２に存在したとき、開閉部材３の座板１１が当接して、座板１１に搭載された平行リンク１３に連結された検出板１２が平行に摺動して、連結部１７に接続された反射板１５をスライドさせる。連結部１７は、通光路５内に設置した反射板１５に固定された延出部にして、案内レール４に沿って昇降するものである。反射板１５は、通光路５の天井１９から発光される光電管１６の光軸Ｓを反射させて、再び光電管１６に帰光させることで、受光させることになる。光電管１６は、発光部と受光部を備え、発光部からの光軸Ｓを受光部で受信することで、正常運転を可能にしている。平行リンク１３は、開閉部材３の下部と摺動する検出板１２とを平行に軸着させた板材であり、検出板１２の下面のどの位置に接触しても、反射板１５を回動させることが出来る。【００２０】  障害物２０には、下降する座板１１が当接して衝撃を与えることになる。座板１１は、開閉部材３の下端から吊り下げられて、ばね１４により上方に引き上げられているため、座板１１の重量が無い状態にして、数センチほどの遊びが付けてある。障害物２０に当接した座板１１は、衝撃力を与えることなく上方に移動して、検出板１２をスライドさせ連結部１７を介して反射板１５を移動させる。制御盤７は、光電管１６の光軸Ｓが遮断された信号を受けると、駆動部６の停止指令を出す。開閉部材３は、下降を停止するので障害物２０を破損させることなく安全に取り除くことができる。【００２１】  図４は、制御盤７と駆動部６と開閉部材３と光電管１６による接続を示すもので、制御盤７には集積回路ＣＰと保持電源２１のバッテリが内蔵されている。集積��路ＣＰは、操作盤９と電源Ｗと駆動部６と光電管１６に信号の送受信ができるもので、操作盤９の指令により駆動部６のモータＭの回転、ブレーキＢの制動・解除、光電管１６による安全装置、停電時による電源Ｗから保持電源２１の切換えと下降動作と安全確認を行う。開閉部材３の下降動作は、ブレーキＢを開放させると開閉部材３の自重により下降するもので、停電時でも保持電源２１によりブレーキＢの開放と光電管１６を作動させて下降させることができる。【００２２】  図５は、開口部２の開閉部材３を閉鎖させるときについて説明する。操作盤９の下降ボタンを押すと閉鎖動作になり、制御盤７からブレーキＢの解放指令を出す。ブレーキの解放は、開閉部材３の自重により下降動作をはじめ、光電管１６による安全装置を作動させて開口部２を閉鎖する下降動作にする。座板１１は、開閉部材３を安全に下降させて、開口部２を閉鎖させるが、途中で接触すると座板検知の信号で停止指令がでてブレーキ動作になる。座板１１からの停止指令は、ブレーキＢを制動させ開閉部材３を停止させて、タイマーＴを動作させ、座板１１に接触した障害物２０の状況で再始動できるようにしている。障害物２０と接触した座板１１は、検出板１２を平行に移動させ反射板１５を遮光した状態になっているため、光軸Ｓが通光できなく停止指令が出ている。【００２３】  開閉部材３は、障害物２０が除去されたとき、座板１１が下方に移動して、検出板１２が元に戻り反射板１５を平行にさせ、光軸Ｓを通光させることで回路が復帰して下降指令待ちにする。下降指令待ちは、タイマーＴにより数十秒間ごとにＮ回分けてカウントする閉鎖動作に戻り指令を送ることになり、ブレーキ解放動作を始める。Ｎ回後は、ブレーキＢを動作して停止状態になる。Ｎ回以内では、ブレーキ解放動作をして下降させても、座板検知をすればブレーキ動作になり、座板検知をしなければブレーキ解放動作を続ける。この制御盤７の回路では、非常時の火災による煙感知器が検出して開閉機１を下降させる指令が出る。Ｎ回の閉鎖動作は、開閉機１が下降中のときに、非常ドアから非難する人が座板１１に接触したときに、開閉部材３が一旦停止するが、数十秒後に再下降を始める。下降動作は、地上面ＧＬに接触して閉鎖することで火災の拡大を最小限に止めることができ、閉鎖された通行路５により煙・炎で誤動作の停止することなく、安全に正確に災害場所を密閉させることができる。
【図面の簡単な説明】
【００２４】
【図１】  開閉機を示す正面図。
【図２】  検出装置を示す正面図。
【図３】  座板検出状態を示す正面図。
【図４】  開閉機のブロック図。
【図５】  閉鎖状態を示すフォロチァート。
【符号の説明】
【００２５】１    開閉機
２    開口部
３    開閉部材（スラット・シート・ゲート）
４    案内レール
５    通光路
６    駆動部
７    制御盤
９    操作盤
１１  座板
１２  検出板
１３  平行リンク
１４  ばね
１５  反射板
１６  光電管
１９  天井
２０  障害物
２１  保持電源
Ｇ    減速機
Ｍ    モータ
Ｂ    ブレーキ
Ｔ    タイマー
Ｗ    商用電源
【図１】
2007270595.tif 000003
【図２】
2007270595.tif 000004
【図３】
2007270595.tif 000005
【図４】
2007270595.tif 000006
【図５】
2007270595.tif 000007